(57)【要約】【課題】第１制御グループの照明機器で照らされる第１照明制御領域と、第２制御グループの照明機器で照らされる第２照明制御領域と、の境界を照らす照明機器を特定できる照明制御システム及びプログラムを提供する。【解決手段】照明制御システムは、第１制御グループに属する第１照明機器及び第２照明機器によって照らされる第１照明制御領域と、第２制御グループに属する第３照明機器によって照らされる第２照明制御領域と、の境界を照らす境界機器として第２照明機器が特定された場合に、第２照明機器が属する制御境界グループを生成する境界グループ生成部９４０を備える。また、照明制御システムは、第１制御グループの第１照明機器に第１制御を実行し、第２制御グループの第３照明機器に第２制御を実行し、制御境界グループの第２照明機器に第１制御と第２制御とに基づいた第３制御を実行する機器制御部９７０を備える。【選択図】図６
2019061832.tif 000002
【特許請求の範囲】
【請求項１】
第１照明機器の設置位置を表す位置情報、第２照明機器の位置情報、並びに、第３照明機器の位置情報と、を取得する位置情報取得手段と、
前記位置情報取得手段が取得した前記位置情報に基づいて、前記第１照明機器と前記第２照明機器とが属し、第１制御が行われる第１制御グループと、前記第３照明機器が属し、第２制御が行われる第２制御グループと、を生成する制御グループ生成手段と、
前記第１制御グループに属する前記第１照明機器及び前記第２照明機器によって照らされる第１照明制御領域と、前記第２制御グループに属する前記第３照明機器によって照らされる第２照明制御領域と、の境界を照らす照明機器である境界機器を、前記位置情報取得手段が取得した前記位置情報に基づいて特定する境界機器特定手段と、
前記境界機器特定手段が前記境界機器として前記第２照明機器を特定した場合に、前記第２照明機器が属する制御境界グループを生成する境界グループ生成手段と、
前記第１制御グループの前記第１照明機器に前記第１制御を実行し、前記第２制御グループの前記第３照明機器に前記第２制御を実行し、前記制御境界グループの前記第２照明機器に前記第１制御と前記第２制御とに基づいた第３制御を実行する機器制御手段と、を備える、
照明制御システム。
【請求項２】
照度を測定する第１照度センサと、
前記第１照度センサが照度を測定した領域と異なる領域の照度を測定する第２照度センサと、
前記位置情報取得手段は、前記第１照度センサの位置情報と、前記第２照度センサの位置情報と、をさらに取得し、
前記第１制御は、前記第１照度センサが測定した第１照度に基づいて輝度を変更する制御であり、
前記第２制御は、前記第２照度センサが測定した第２照度に基づいて輝度を変更する制御であり、
前記制御グループ生成手段は、前記位置情報取得手段が取得した前記第１照度センサの前記位置情報と前記第２照度センサの前記位置情報とに基づいて、前記第１制御が行われる前記第１制御グループと、前記第２制御が行われる前記第２制御グループと、を生成する、
請求項１に記載の照明制御システム。
【請求項３】
ユーザに操作される第１操作機器を識別する識別情報と、前記第１操作機器に行われた第１操作に基づいて点灯状態を変更される第４照明機器の識別情報及び第５照明機器の識別情報と、を対応付けて取得し、第２操作機器の識別情報と、前記第２操作機器に行われた第２操作に基づいて点灯状態を変更される第６照明機器の識別情報と、を対応付けて取得する識別情報取得手段と、
前記第１操作を表す情報と前記第２操作を表す情報とを取得する操作情報取得手段と、
前記識別情報取得手段が取得する前記識別情報に基づいて、前記第４照明機器と前記第５照明機器とが属し、前記第１操作に基づいて点灯状態の変更が行われる第１操作グループと、前記第６照明機器が属し、前記第２操作に基づいて点灯状態の変更が行われる第２操作グループと、を生成する操作グループ生成手段と、をさらに備え、
前記位置情報取得手段は、前記第４照明機器の位置情報、前記第５照明機器の位置情報、及び、前記第６照明機器の位置情報をさらに取得し、
前記境界機器特定手段は、前記第１操作グループに属する前記第４照明機器及び前記第５照明機器によって照らされる第１照明操作領域と、前記第２操作グループに属する前記第６照明機器によって照らされる第２照明操作領域と、の境界を照らす境界機器を、前記位置情報取得手段が取得する前記位置情報に基づいて特定し、
前記境界グループ生成手段は、前記境界機器特定手段が前記第１照明操作領域と前記第２照明操作領域との前記境界を照らす前記境界機器として前記第５照明機器を特定した場合に、前記第５照明機器が属する操作境界グループを生成し、
前記機器制御手段は、前記第１操作によって変更された前記第４照明機器の前記点灯状態と前記第２操作によって変更された前記第６照明機器の前記点灯状態とに基づいて、前記操作境界グループに属する前記第５照明機器の点灯状態を変更する、
請求項１又は２に記載の照明制御システム。
【請求項４】
コンピュータを、
第１照明機器の設置位置を表す位置情報、第２照明機器の位置情報、並びに、第３照明機器の位置情報と、を取得する位置情報取得手段、
前記位置情報取得手段が取得した前記位置情報に基づいて、前記第１照明機器と前記第２照明機器とが属し、第１制御が行われる第１制御グループと、前記第３照明機器が属し、第２制御が行われる第２制御グループと、を生成する制御グループ生成手段、
前記第１制御グループに属する前記第１照明機器及び前記第２照明機器によって照らされる第１照明制御領域と、前記第２制御グループに属する前記第３照明機器によって照らされる第２照明制御領域と、の境界を照らす照明機器である境界機器を、前記位置情報取得手段が取得した前記位置情報に基づいて特定する境界機器特定手段、
前記境界機器特定手段が前記境界機器として前記第２照明機器を特定した場合に、前記第２照明機器が属する制御境界グループを生成する境界グループ生成手段、
前記第１制御グループの前記第１照明機器に前記第１制御を実行し、前記第２制御グループの前記第３照明機器に前記第２制御を実行し、前記制御境界グループの前記第２照明機器に前記第１制御と前記第２制御とに基づいた第３制御を実行する機器制御手段、として機能させる、
プログラム。
【発明の詳細な説明】
【技術分野】
【０００１】
本発明は、照明制御システム、及び、プログラムに関する。
【背景技術】
【０００２】
従来から、例えば、窓から自然光が差し込む領域の照度をセンサで測定し、測定された照度に基づいて当該領域を照らす複数の照明機器をグループ単位で制御するシステムが知られている（例えば、特許文献１参照）。このシステムは、第１制御グループと第２制御グループとの双方に属する照明機器の輝度を、第１制御グループのみに属する照明機器に設定された輝度と、第２制御グループのみに属する照明機器に設定された輝度と、の平均値に設定する。この設定により、特許文献１のシステムは、第１制御グループの照明機器によって照らされる第１照明制御領域と、第２制御グループの照明機器によって照らされる第２照明制御領域と、が互いに隣接する場合に、第１照明制御領域と第２照明制御領域との境界付近で生じる照度差を軽減する。
【先行技術文献】
【特許文献】
【０００３】
【特許文献１】特開２００９−２８９４７１号公報
【発明の概要】
【発明が解決しようとする課題】
【０００４】
しかしながら、特許文献１のシステムでは、第１照明制御領域と第２照明制御領域との境界付近を照らす照明機器を特定し、特定した照明機器を第１制御グループと第２制御グループとの双方に所属させなければならなかった。このため、輝度を制御する照明機器の数が増えると、特許文献１のシステムは、境界付近を照らす照明機器を特定できないため、ユーザの負担が増加するという問題があった。
【０００５】
本発明は、上記実情に鑑みてなされたものであり、その目的とするところは、第１制御グループの照明機器で照らされる第１照明制御領域と、第２制御グループの照明機器で照らされる第２照明制御領域と、の境界を照らす照明機器を特定できる照明制御システム及びプログラムを提供することにある。
【課題を解決するための手段】
【０００６】
上記目的を達成するため、本発明に係る照明制御システムは、
第１照明機器の設置位置を表す位置情報、第２照明機器の位置情報、並びに、第３照明機器の位置情報と、を取得する位置情報取得手段と、
前記位置情報取得手段が取得した前記位置情報に基づいて、前記第１照明機器と前記第２照明機器とが属し、第１制御が行われる第１制御グループと、前記第３照明機器が属し、第２制御が行われる第２制御グループと、を生成する制御グループ生成手段と、
前記第１制御グループに属する前記第１照明機器及び前記第２照明機器によって照らされる第１照明制御領域と、前記第２制御グループに属する前記第３照明機器によって照らされる第２照明制御領域と、の境界を照らす照明機器である境界機器を、前記位置情報取得手段が取得した前記位置情報に基づいて特定する境界機器特定手段と、
前記境界機器特定手段が前記境界機器として前記第２照明機器を特定した場合に、前記第２照明機器が属する制御境界グループを生成する境界グループ生成手段と、
前記第１制御グループの前記第１照明機器に前記第１制御を実行し、前記第２制御グループの前記第３照明機器に前記第２制御を実行し、前記制御境界グループの前記第２照明機器に前記第１制御と前記第２制御とに基づいた第３制御を実行する機器制御手段と、
を備える。
【発明の効果】
【０００７】
本発明に係る照明制御システム及びプログラムによれば、第１制御グループの照明機器で照らされる第１照明制御領域と、第２制御グループの照明機器で照らされる第２照明制御領域と、の境界を照らす照明機器を特定できる。
【図面の簡単な説明】
【０００８】
【図１】本発明の実施の形態１に係る照明制御システムの一構成例を表す構成図
【図２】照明機器のハードウェア構成の一例を表す図
【図３】第１照度センサのハードウェア構成の一例を表す図
【図４】照明制御装置のハードウェア構成の一例を表す図
【図５】実施の形態１に係る照明制御装置が実行するグループ生成処理の一例を表すフローチャート
【図６】実施の形態１に係る照明制御装置が有する機能の一例を表す機能ブロック図
【図７】照明制御装置が記憶する制御グループテーブルの一例を表す図
【図８】照明制御装置が記憶する境界グループテーブルの一例を表す図
【図９】制御グループ及び制御境界グループの一例を表す図
【図１０】実施の形態１に係る照明制御装置が実行する照明制御処理の一例を表すフローチャート
【図１１】実施の形態２に係る照明制御システムの一構成例を表す構成図
【図１２】実施の形態２に係る照明制御装置が実行するグループ生成処理の一例を表すフローチャート
【図１３】実施の形態２に係る照明制御装置が有する機能の一例を表す機能ブロック図
【図１４】照明制御装置が記憶する操作グループテーブルの一例を表す図
【図１５】操作グループ及び操作境界グループの一例を表す図
【図１６】実施の形態２に係る照明制御装置が実行する照明制御処理の一例を表すフローチャート
【図１７】照明機器に設定する輝度の一例を表す図
【図１８】照明制御装置が実行する境界パラメタ更新処理の一例を表すフローチャート
【発明を実施するための形態】
【０００９】
＜実施の形態１＞
以下、本発明の実施の形態１に係る照明制御システム１について、添付図面を参照しつつ説明する。
【００１０】
照明制御システム１は、オフィス、工場、又は学校の教室といった室内に設置される。照明制御システム１は、図１に示すような、室内の床を照らす複数の照明機器１０１から１３０、床の照度を測定する第１照度センサ２０１及び第２照度センサ２０２を備える。また、照明制御システム１は、照明機器１０１から１３０、第１照度センサ２０１、及び第２照度センサ２０２の設置位置の検出に用いられる電波を発信する発信器３０１及び３０２を備える。さらに、照明制御システム１は、照明機器１０１から１３０、第１照度センサ２０１、及び、第２照度センサ２０２に通信線ＣＬで接続され、検出された設置位置と、測定された照度と、に基づいて照明機器１０１から１３０の点灯状態を制御する照明制御装置９００を備える。
【００１１】
照明機器１０１は、図２に示すような、ＬＥＤ（Light Emitting Diode）ベースライトであり、部屋の天井に設置される。照明機器１０１は、発信器３０１から発信された第１電波と、発信器３０２から発せられた第２電波と、を受信する電波受信回路１０１１を備える。また、照明機器１０１は、電波受信回路１０１１で受信された第１電波の強度と第２電波の強度とを用いた三角測量によって、発信器３０１及び３０２の位置を基準とした二次元座標値で表される自機の設置位置を検出する位置検出回路１０１２を備える。さらに、照明機器１０１は、位置検出回路１０１２が検出した設置位置を表す位置情報を照明制御装置９００へ送信する情報通信回路１０１３を備える。
【００１２】
情報通信回路１０１３は、照明機器１０１の設置位置に応じて照明機器１０１の点灯状態を制御する照明制御装置９００から制御命令を受信する。照明機器１０１は、制御命令従ってＬＥＤ１０１５を駆動させる駆動回路１０１４をさらに備える。照明機器１０２から１３０は、照明機器１０１と同じ構成及び機能を有する。
【００１３】
第１照度センサ２０１は、図３に示すような、フォトダイオード型の照度センサであり、部屋の天井に設置される。第１照度センサ２０１は、図２の電波受信回路１０１１及び位置検出回路１０１２と同じ構成及び機能を有する電波受信回路２０１１及び位置検出回路２０１２を備える。また、第１照度センサ２０１は、測定対象とする床の第１測定領域で反射した反射光の強さに応じた電気信号を出力する受光素子２０１３と、受光素子２０１３から出力された電気信号に基づいて、第１測定領域の照度を測定する照度測定回路２０１４と、を備える。さらに、第１照度センサ２０１は、位置検出回路２０１２で検出された設置位置を表す位置情報、及び、照度測定回路２０１４で測定された照度を表す照度情報を照明制御装置９００へ送信する情報通信回路２０１５を備える。第２照度センサ２０２は、第１照度センサ２０１と同じ構成及び機能を有し、第１測定領域と異なる第２測定領域における床の照度を測定する。
【００１４】
照明制御装置９００は、ＨＥＭＳ（Home Energy Management System）コントローラであり、オフィス、工場、又は学校の廊下又はエントランスといった共用空間に設置される。照明制御装置９００は、図４に示すように、プログラムを実行するＣＰＵ（Central Processing Unit）９０１、プログラムを保存するＲＯＭ（Read Only Memory）９０２及びフラッシュメモリ９０３、プログラムの実行時にワークエリアとして使用されるＲＡＭ（Random Access Memory）９０４を備える。また、照明制御装置９００は、プログラムの実行時に、照明機器１０１から１３０、第１照度センサ２０１、及び、第２照度センサ２０２と通信する情報通信回路９０５を備える。さらに、照明制御装置９００は、ＣＰＵ９０１から出力された信号に基づいて画像を描画し、描画された画像を表す画像信号を出力するビデオカード９０６と、画像信号に基づいて画像を表示するＬＣＤ（Liquid Crystal Display）９０７と、を備える。またさらに、照明制御装置９００は、ユーザの操作に応じた信号を入力するタッチパネル９０８を備える。
【００１５】
照明制御装置９００のＣＰＵ９０１は、照明機器１０１から１３０をグループ単位で制御するために用いる制御グループを生成する、図５のグループ生成処理を実行する。ＣＰＵ９０１は、グループ生成処理を実行することで、照明機器１０１から１３０、第１照度センサ２０１、及び、第２照度センサ２０２から位置情報を取得する、図６の位置情報取得部９１０として機能する。また、ＣＰＵ９０１は、位置情報取得部９１０で取得された位置情報に基づいて、照明機器１０１から１３０を所属させる制御グループを生成する制御グループ生成部９２０として機能する。
【００１６】
さらに、ＣＰＵ９０１は、互いに隣接する制御グループの境界に設置された照明機器である境界機器を特定する境界機器特定部９３０、及び、境界機器が属する制御境界グループを生成する境界グループ生成部９４０として機能する。
【００１７】
図４のフラッシュメモリ９０３は、制御グループに関する情報が保存される、図７の制御グループテーブル９９１、及び、制御境界グループに関する情報が保存される、図８の境界グループテーブル９９９を記憶する情報記憶部９９０として機能する。
【００１８】
図７の制御グループテーブル９９１には、制御グループ生成部９２０が生成した制御グループを識別する識別情報と、当該制御グループに属する照明機器の識別情報と、当該照明機器に設定される輝度を表す設定輝度情報が対応付けられたレコードが複数保存される。
【００１９】
図８の境界グループテーブル９９９には、境界グループ生成部９４０が生成した制御境界グループを識別する識別情報と、当該制御境界グループに属する境界機器を識別する識別情報と、当該照明機器に設定される輝度を表す設定輝度情報と、が対応付けられたレコードが保存される。
【００２０】
さらに、情報記憶部９９０は、ユーザに操作されたタッチパネル９０８で入力された境界パラメタと設定照度パラメタとを記憶している。境界パラメタは、制御グループ間の境界からどの程度離れた照明機器を境界機器として特定するかを定める変数である。また、設定照度パラメタは、照明機器１０１から１３０によって床をどの程度の照度で照らすかを定める変数である。
【００２１】
ここで、図５に戻り、上述の各機能部を実現するグループ生成処理について説明を開始する。グループ生成処理の実行が開始されると、図６の位置情報取得部９１０は、照明機器１０１から１３０、第１照度センサ２０１、及び、第２照度センサ２０２を宛先として、位置情報の送信を求めるリクエストを、図４の情報通信回路９０５へ出力する。その後、情報通信回路９０５は、リクエストを宛先のアドレスへ送信した後に、返信された位置情報を受信する。
【００２２】
次に、位置情報取得部９１０は、情報通信回路９０５が受信した位置情報を、位置情報の返信元のアドレスに対応付けて取得する（ステップＳ０１）。
【００２３】
次に、制御グループ生成部９２０は、第１照度センサ２０１が測定した第１照度に基づいて輝度を制御する第１制御の対象とする照明機器を所属させる、図９の第１制御グループＣＧ１を生成する。同様に、制御グループ生成部９２０は、第２照度センサ２０２が測定した第２照度に基づいて輝度を変更する第２制御の対象とする第２制御グループＣＧ２を生成する（ステップＳ０２）。
【００２４】
次に、制御グループ生成部９２０は、位置情報取得部９１０で取得された位置情報に基づいて照明機器１０１から１３０を、第１制御グループＣＧ１又は第２制御グループＣＧ２のいずれかに割り振る。照明機器１０１から１３０の割り振り方を説明するため、図９に示すように、照明機器１０１を第１照明機器１０１ともいい、照明機器１１１を第２照明機器１１１ともいい、照明機器１２６を第３照明機器１２６ともいう。
【００２５】
先ず、制御グループ生成部９２０は、第１照度センサ２０１、第２照度センサ２０２、及び、第１照明機器１０１から送信された位置情報に基づいて、第１照度センサ２０１、第２照度センサ２０２、及び、第１照明機器１０１の設置位置を特定する。その後、制御グループ生成部９２０は、第１照明機器１０１の設置位置が、第２照度センサ２０２の設置位置よりも第１照度センサ２０１の設置位置に近いと判別する。次に、制御グループ生成部９２０は、第１照明機器１０１を第１制御グループＣＧ１に所属させる。その後、制御グループ生成部９２０は、第１制御グループＣＧ１の識別情報と、第１照明機器１０１の識別情報と、第１照明機器１０１に設定する輝度の初期値を表す情報と、を対応づけて、図７の制御グループテーブル９９１に保存する。
【００２６】
同様に、制御グループ生成部９２０は、第２照明機器１１１の設置位置が第２照度センサ２０２の設置位置よりも第１照度センサ２０１の設置位置に近いと判別し、第２照明機器１１１を第１制御グループＣＧ１に所属させる。
【００２７】
これに対して、制御グループ生成部９２０は、第３照明機器１２６の設置位置が第１照度センサ２０１の設置位置よりも第２照度センサ２０２の設置位置に近いと判別し、第３照明機器１２６を第２制御グループＣＧ２に所属させる。
【００２８】
同様に、制御グループ生成部９２０は、照明機器１０２から１１０及び１１２から１１５を第１制御グループＣＧ１に所属させ、照明機器１１６から１２５及び１２７から１３０を第２制御グループＣＧ２に所属させる。
【００２９】
次に、境界機器特定部９３０は、第１照度センサ２０１の設置位置と第２照度センサ２０２の設置位置とで定まる垂直二等分線ＡＢを生成する。次に、境界機器特定部９３０は、垂直二等分線ＡＢを１辺とし、第１制御グループＣＧ１に所属させた第１照明機器１０１、第２照明機器１１１、並びに、照明機器１０２から１１０及び１１２から１１５の設置位置を含む方形の第１制御グループ領域ＣＥＢＡを生成する。同様に、境界機器特定部９３０は、第２制御グループＣＧ２に所属させた第３照明機器１２６、並びに、照明機器１１６から１２５及び１２７から１３０の設置位置を含む方形の第２制御グループ領域ＡＢＦＤを生成する。
【００３０】
次に、境界機器特定部９３０は、第１制御グループ領域ＣＥＢＡの下側に位置する床上の領域を、第１照明機器１０１、第２照明機器１１１、並びに、照明機器１０２から１１０及び１１２から１１５で照らされる第１照明制御領域とする。同様に、境界機器特定部９３０は、第２制御グループ領域ＡＢＦＤの下側に位置する床上の領域を、第３照明機器１２６、並びに、照明機器１１６から１２５及び１２７から１３０で照らされる第２照明制御領域とする。このようにして、境界機器特定部９３０は、第１制御グループ領域ＣＥＢＡと第２制御グループ領域ＡＢＦＤとの境界ＡＢの下側に位置する床上の線分を、第１照明制御領域と第２照明制御領域との境界とする。
【００３１】
次に、境界機器特定部９３０は、情報記憶部９９０から境界パラメタを読み出す。その後、境界機器特定部９３０は、境界ＡＢから、境界パラメタの値よりも近い距離にある第２照明機器１１１及び照明機器１１２から１２０を、第１照明制御領域と第２照明制御領域との境界を照らす境界機器として特定する（図５のステップＳ０３）。
【００３２】
その後、境界グループ生成部９４０は、第１照度と第２照度とに基づいて輝度を変更する第３制御の対象とする境界機器を所属させる制御境界グループＣＢを生成する（ステップＳ０４）。境界グループ生成部９４０は、制御境界グループＣＢに、ステップＳ０３で境界機器として特定した第２照明機器１１１及び照明機器１１２から１２０を所属させる。次に、境界グループ生成部９４０は、制御境界グループＣＢの識別情報と、第２照明機器１１１及び照明機器１１２から１２０の識別情報と、を対応づけて、図８の境界グループテーブル９９９に保存した後に、グループ生成処理の実行を終了する。
【００３３】
図５のグループ生成処理の実行が終了すると、図４に示した照明制御装置９００のＣＰＵ９０１は、照明機器１０１から１３０の点灯状態を制御する、図１０の照明制御処理を実行する。照明制御処理の実行により、ＣＰＵ９０１は、第１照度センサ２０１、及び、第２照度センサ２０２の照度情報を取得する、図６の照度情報取得部９５０として機能する。また、ＣＰＵ９０１は、照度情報取得部９５０が取得した照度情報に基づいて、照明機器１０１から１３０に設定する輝度を決定する設定決定部９６０、及び、設定決定部９６０が決定した輝度で点灯するように照明機器１０１から１３０を制御する機器制御部９７０として機能する。
【００３４】
照明制御処理の実行を開始すると、図４の情報通信回路９０５は、第１照度センサ２０１及び第２照度センサ２０２から照度情報を受信する。次に、照度情報取得部９５０は、照度情報を、当該照度情報の送信元の通信アドレスに対応付けて情報通信回路９０５から取得する（ステップＳ１１）。
【００３５】
次に、設定決定部９６０は、どの程度の照度で設定照度パラメタを読み出す。その後、設定決定部９６０は、照度情報取得部９５０が第１照度センサ２０１の通信アドレスと対応付けて取得した照度情報で表される照度を第１照度とする。次に、設定決定部９６０は、図７の制御グループテーブル９９１において、第１制御グループＣＧ１の識別情報と対応付けられた設定輝度情報を取得する。その後、設定決定部９６０は、第１照度が設定照度パラメタの設定値以上の場合に、第１制御グループＣＧ１にのみ属する第１照明機器１０１及び照明機器１０２から１１０に設定する第１設定輝度を、取得した設定輝度情報で表される輝度よりも低い値に決定する。これに対して、設定決定部９６０は、第１照度が設定照度パラメタの設定値より低い場合に、設定輝度情報で表される輝度よりも高い値に第１設定輝度を決定する。
【００３６】
同様に、設定決定部９６０は、第２照度センサ２０２の通信アドレスと対応付けて取得された照度情報で表される照度を第２照度とし、第２照度と設定照度パラメタの設定値との比較結果に基づいて、第２制御グループＣＧ２にのみ属する第３照明機器１２６、並びに、照明機器１２１から１２５及び１２７から１３０に設定する第２設定輝度を決定する。
【００３７】
その後、設定決定部９６０は、第１設定輝度と第２設定輝度との平均値を算出し、算出した平均値を、制御境界グループＣＢに属する第２照明機器１１１及び照明機器１１２から１２０に設定する境界設定輝度に決定する（ステップＳ１２）。
【００３８】
その後、設定決定部９６０は、図７の制御グループテーブル９９１において、第１制御グループＣＧ１の識別情報と対応付けられた設定輝度情報を、第１設定輝度を表す情報に更新する。同様に、設定決定部９６０は、第２制御グループＣＧ２の識別情報と対応付けられた設定輝度情報を、第２設定輝度を表す情報に更新する。さらに、設定決定部９６０は、図８の境界グループテーブル９９９において、制御境界グループＣＢの識別情報と対応付けられた設定輝度情報を、第１設定輝度と第２設定輝度との平均値である境界設定輝度を表す情報に更新する。
【００３９】
次に、機器制御部９７０は、輝度を第１設定輝度に変更させる制御命令を、第１制御グループＣＧ１にのみ属する第１照明機器１０１及び照明機器１０２から１１０を宛先として、図４の情報通信回路９０５へ出力する。これにより、機器制御部９７０は、第１照明機器１０１及び照明機器１０２から１１０の輝度を、第１照度に基づいて決定された第１設定輝度に変更する第１制御を行う。
【００４０】
同様に、機器制御部９７０は、輝度を第２設定輝度に変更させる制御命令を、第２制御グループＣＧ２にのみ属する第３照明機器１２６並びに照明機器１２１から１２５及び１２７から１３０を宛先として情報通信回路９０５へ出力する。これにより、機器制御部９７０は、第３照明機器１２６並びに照明機器１２１から１２５及び１２７から１３０の輝度を、第２照度に基づいて決定された第２設定輝度に変更する第２制御を行う。
【００４１】
さらに、機器制御部９７０は、輝度を第１設定輝度と第２設定輝度との平均値である境界設定輝度とさせる制御命令を、制御境界グループＣＢに属する第２照明機器１１１及び照明機器１１２から１２０を宛先として情報通信回路９０５へ出力する。これにより、機器制御部９７０は、第２照明機器１１１及び照明機器１１２から１１５の輝度を、第１照度及び第２照度に基づいて決定された境界設定輝度に変更する制御を行う（ステップＳ１３）。
【００４２】
情報通信回路９０５は、制御命令を宛先である照明機器１０１から１３０に送信し、照明機器１０１から１３０は、制御命令に従って輝度を変更する。その後、機器制御部９７０は、照明制御処理の実行を終了する。
【００４３】
これらの構成によれば、照明制御装置９００は、照明機器１０１から１３０の設置位置に基づいて、第１制御グループＣＧ１と第２制御グループＣＧ２とに、照明機器１０１から１３０を所属させる。また、照明制御装置９００は、第１制御グループＣＧ１に所属させた照明機器１０１から１１５で照らされる第１照明制御領域と、第２制御グループＣＧ２に所属させた照明機器１１６から１３０で照らされる第２照明制御領域と、の境界を照らす境界機器１１１から１２０を特定する。このため、照明制御システム１が備える照明機器の数が増加しても、照明制御装置９００は、第１制御グループＣＧ１と第２制御グループＣＧ２とを生成したり、第１制御グループと第２制御グループとに照明機器１０１から１３０を所属させたり、境界機器１１１から１２０を特定したりするために生じるユーザの負担の増加を抑制できる。
【００４４】
これらの構成によれば、照明制御装置９００は、照明機器１０１から１３０の設置位置と、第１照度センサ２０１及び第２照度センサ２０２の設置位置と、に基づいて、第１制御グループと第２制御グループとに、照明機器１０１から１３０を所属させる。また、照明制御装置９００は、第１照度センサ２０１の測定した第１照度に基づいて第１制御グループに属する照明機器１０１から１１０の輝度を変更し、第２照度センサ２０２の測定した第２照度に基づいて第２制御グループに属する照明機器１２１から１３０の輝度を変更する。さらに、照明制御装置９００は、第１照度と第２照度とに基づいて制御境界グループに属する照明機器１１１から１２０の輝度を変更する。このため、照明制御装置９００は、第１制御グループ、第２制御グループ、制御境界グループに照明機器１０１から１３０を所属させるために生じるユーザの負担を無くしながら又は軽減しながら、照明機器１０１から１３０によって照らされる領域の照度を精度良くフィードバック制御できる。
【００４５】
これらの構成によれば、照明機器１０１から１３０、並びに、第１照度センサ２０１及び第２照度センサ２０２は設置位置を検出し、照明制御装置９００は、照明機器１０１から１３０、第１照度センサ２０１、及び、第２照度センサ２０２から設置位置を表わす位置情報を取得する。このため、照明機器１０１から１３０、第１照度センサ２０１、及び、第２照度センサ２０２の設置位置を照明制御装置９００に入力するユーザの負担を無くせる又は軽減できる。
【００４６】
＜実施の形態１の変形例１＞
実施の形態１では、図６に示した照明制御装置９００の機器制御部９７０は、照明機器１０１から１３０の輝度を変更すると説明したが、これに限定されるのではなく、色温度を変更しても良い。
【００４７】
図４のＬＣＤ９０７は、第１制御グループＣＧ１に属する照明機器１０１から１１５に設定する第１設定色温度と、第２制御グループＣＧ２に属する照明機器１１６から１３０に設定する第２設定色温度と、を入力するように促すメッセージを表示する。また、タッチパネル９０８は、メッセージを読んだユーザの操作に従って、第１設定色温度を表わす情報と、第２設定色温度を表わす情報と、を入力する。
【００４８】
図６の機器制御部９７０は、色温度を第１設定色温度に変更させる制御命令を、第１制御グループＣＧ１にのみ属する照明機器１０１から１１０を宛先として、図４の情報通信回路９０５へ出力する。同様に、機器制御部９７０は、色温度を第２設定色温度に変更させる制御命令を、第２制御グループＣＧ２にのみ属する照明機器１２６から１３０を宛先として情報通信回路９０５へ出力する。さらに、機器制御部９７０は、色温度を第１設定色温度と第２設定色温度との平均値である境界設定色温度とさせる制御命令を、制御境界グループＣＢに属する照明機器１１１から１２０を宛先として情報通信回路９０５へ出力する。情報通信回路９０５は、制御命令を宛先である照明機器１０１から１３０に送信し、照明機器１０１から１３０は、制御命令に従って色温度を変更する。
【００４９】
＜実施の形態１の変形例２＞
実施の形態１では、図６に示した照明制御装置９００の設定決定部９６０は、第１設定輝度と第２設定輝度との単純平均値に境界設定輝度を決定すると説明したが、これに限定されるわけではない。設定決定部９６０は、第１制御グループＣＧ１に属する照明機器の数Ｎ１で第１設定輝度を重みづけした値と、第２制御グループＣＧ２に属する照明機器の数Ｎ２で第２設定輝度を重みづけした値と、の和を、照明機器の数Ｎ１と照明機器の数Ｎ２との和で除算した加重平均を境界設定輝度に決定するとしても良い。
【００５０】
＜実施の形態１の変形例３＞
実施の形態１では、図６に示した照明制御装置９００の境界機器特定部９３０は、方形の第１制御グループ領域ＣＥＢＡと、方形の第２制御グループ領域ＡＢＦＤと、を生成すると説明したが、これに限定される訳ではない。境界機器特定部９３０は、例えば、三角形、五角形、六角形といった多角形の第１制御グループ領域と第２制御グループ領域を生成しても良い。また、境界機器特定部９３０は、第１照度センサ２０１を中心とし、第１制御グループＣＧ１に属する照明機器１０１から１１５の設置位置を含む円形又は楕円形の第１制御グループ領域を生成しても良い。同様に、境界機器特定部９３０は、第２照度センサ２０２を中心とし、第２制御グループＣＧ２に属する照明機器１１６から１３０の設置位置を含む円形又は楕円形の第２制御グループ領域を生成しても良い。
【００５１】
＜実施の形態１の変形例４＞
実施の形態１では、照明機器１０１から１３０、第１照度センサ２０１、及び、第２照度センサ２０２は、発信器３０１及び３０２が発信した電波に基づいて自機の設置位置を検出すると説明したが、これに限定される訳ではない。照明機器１０１から１３０、第１照度センサ２０１、及び、第２照度センサ２０２は、ＧＰＳ（Global Positioning System）の衛星信号を用いて高精度で設置位置を検出できる位置検出回路を備えても良い。
【００５２】
＜実施の形態１の変形例５＞
実施の形態１では、照明機器１０１から１３０、第１照度センサ２０１、及び、第２照度センサ２０２は、発信器３０１及び３０２が発信した電波に基づいて自機の設置位置を検出すると説明したが、これに限定される訳ではない。照明機器１０１から１３０、第１照度センサ２０１、及び、第２照度センサ２０２は、例えば、ＲＦＩＤ(Radio Frequency IDentification)タグ等の電波発信回路を備えても良い。この場合、照明制御装置９００が、例えば、ＲＦＩＤリーダー等の複数の電波受信回路を備え、受信された電波の強度に基づく三角測量によって、照明機器１０１から１３０、第１照度センサ２０１、及び、第２照度センサ２０２の設置位置を検出しても良い。
【００５３】
＜実施の形態１の変形例６＞
実施の形態１では、照明機器１０１から１３０、第１照度センサ２０１、及び、第２照度センサ２０２は、発信器３０１及び３０２が発信した電波に基づいて自機の設置位置を検出すると説明したが、これに限定される訳ではない。照明制御装置９００は、インタネットを介してファイルサーバに接続し、ファイルサーバから照明機器１０１から１３０、第１照度センサ２０１、及び、第２照度センサ２０２、並び、照明制御装置９００の設置位置を取得しても良い。特に、照明制御装置９００は、部屋に設置する設備機器、及び、設備機器の設置位置が記載された、例えば、ＣＡＤ（Computer-Aided Design）データ等の設計情報をファイルサーバから取得しても良い。
【００５４】
＜実施の形態２＞
実施の形態２に係る照明制御システム１は、図１１に示すような、ユーザに操作される第１操作機器４０１及び第２操作機器４０２をさらに備える。実施の形態２に係る照明制御システム１は、第１操作機器４０１に対する操作に従って点灯状態を変更される第１操作グループと、第２操作機器４０２に対する操作に従って点灯状態を変更される第２操作グループと、を生成する。
【００５５】
第１操作機器４０１は、照明スイッチであり、照明機器１０１、１０６、１１１、１１６、１２１、及び１２６である第１行の照明機器Ｒ１と電源ラインＰＬで接続されている。また、第１操作機器４０１は、照明機器１０２、１０７、１１２、１１７、１２２、及び１２７である第２行の照明機器Ｒ２と、照明機器１０３、１０８、１１３、１１８、１２３、及び１２８である第３行の照明機器Ｒ３と電源ラインＰＬで接続されている。第１操作機器４０１は、ユーザの閉操作に応じて第１行の照明機器Ｒ１から第３行の照明機器Ｒ３へ電力を供給し、ユーザの開操作に応じて電力供給を中断する。
【００５６】
第１操作機器４０１は、通信線ＣＬで照明制御装置９００に接続され、第１操作機器４０１に行われた第１操作を表わす情報を照明制御装置９００へ送信する通信回路４１１を備える。
【００５７】
同様に、第２操作機器４０２は、照明機器１０４、１０９、１１４、１１９、１２４、及び１２９である第４行の照明機器Ｒ４と、照明機器１０５、１１０、１１５、１２０、１２５、及び１３０である第５行の照明機器Ｒ５と、電源ラインＰＬで接続されている。第２操作機器４０２は、ユーザの操作に応じて第４行の照明機器Ｒ４と第５行の照明機器Ｒ５とに対する電力供給の実行及び中断を行う。第２操作機器４０２は、照明制御装置９００に接続され、第２操作機器４０２に行われた第２操作を表わす情報を照明制御装置９００へ送信する通信回路４１２を備える。
【００５８】
照明制御システム１は、インタネットＩＮを介して照明制御装置９００に接続されたファイルサーバ８００を有する。ファイルサーバ８００は、照明制御システム１が設置される部屋に、第１操作機器４０１と、第１操作によって点灯状態が変更される第１行の照明機器Ｒ１から第３行の照明機器Ｒ３と、が設置されることを表わす第１設計情報が保存されたＣＡＤのデータファイルを記憶している。また、ファイルサーバ８００が記憶するデータファイルには、当該部屋に、第２操作機器４０２と、第２操作によって点灯状態が変更される第４行の照明機器Ｒ４及び第５行の照明機器Ｒ５と、が設置されることを表わす第２設計情報がさらに保存されている。ファイルサーバ８００は、照明制御装置９００から送信されたリクエストを受信すると、第１設計情報及び第２設計情報が保存されたデータファイルを返信する。
【００５９】
図４に示した照明制御装置９００のＣＰＵ９０１は、操作グループと制御グループを生成する、図１２のグループ生成処理を実行する。ＣＰＵ９０１は、グループ生成処理を実行することで、第１設計情報及び第２設計情報から、第１操作機器４０１の識別情報と第２操作機器４０２の識別情報とを取得する、図１３の識別情報取得部９１５として機能する。また、ＣＰＵ９０１は、識別情報取得部９１５で取得された識別情報に基づいて、第１操作グループと第２操作グループとを生成する操作グループ生成部９２５として機能する。
【００６０】
情報記憶部９９０は、操作グループ生成部９２５が生成した操作グループに関する情報が保存される、図１４の操作グループテーブル９９２を記憶する。操作グループテーブル９９２には、操作グループを識別する識別情報と、当該制操作グループに属する照明機器の識別情報と、当該照明機器の点灯状態を変更する操作を表わす情報と、が対応付けられたレコードが複数保存される。
【００６１】
ここで、図１２に戻り、上述の各機能部を実現するグループ生成処理について説明を開始する。グループ生成処理が開始されると、図１３の位置情報取得部９１０は、図５のステップＳ０１と同じ処理を実行することで、照明機器１０１から１３０、第１照度センサ２０１、及び、第２照度センサ２０２の位置情報を取得する（ステップＳ２１）。
【００６２】
次に、制御グループ生成部９２０は、図５のステップＳ０２と同じ処理を実行することで、第１制御グループＣＧ１及び第２制御グループＣＧ２を生成する（ステップＳ２２）。
【００６３】
その後、識別情報取得部９１５は、ファイルサーバ８００を宛先としてデータファイルを送信するように求めるリクエストを、図４の情報通信回路９０５へ出力する。
【００６４】
次に、識別情報取得部９１５は、ファイルサーバ８００から受信されたデータファイルを情報通信回路９０５から取得し、データファイルに保存された第１設計情報と第２設計情報を解析する。その後、識別情報取得部９１５は、解析結果に基づいて、第１操作機器４０１の識別情報と、第１操作機器４０１によって点灯状態を変更される第１行の照明機器Ｒ１から第３行の照明機器Ｒ３の識別情報と、を対応付けて取得する。同様に、識別情報取得部９１５は、第２操作機器４０２の識別情報と、第２操作機器４０２によって点灯状態を変更される第４行の照明機器Ｒ４及び第５行の照明機器Ｒ５の識別情報と、を対応付けて取得する（ステップＳ２３）。
【００６５】
操作グループ生成部９２５は、第１操作機器４０１に対する第１操作に従って点灯状態を変更される照明機器を所属させる、図１５の第１操作グループＯＧ１と、第２操作に従って点灯状態を変更される照明機器を所属させる第２操作グループＯＧ２を生成する（ステップＳ２４）。
【００６６】
次に、操作グループ生成部９２５は、識別情報取得部９１５が取得した識別情報の対応関係に基づいて、照明機器１０１から１３０を、第１操作グループＯＧ１又は第２操作グループＯＧ２のいずれかに割り振る。照明機器１０１から１３０の割り振り方を説明するため、図１５に示すように、照明機器１０１を第１照明機器１０１ともいい、照明機器１１１を第２照明機器１１１ともいい、照明機器１２６を第３照明機器１２６ともいう。また、照明機器１０２を第４照明機器１０２ともいい、照明機器１０３を第５照明機器１０３ともいい、照明機器１０５を第６照明機器１０５ともいう。
【００６７】
先ず、識別情報取得部９１５が第１照明機器１０１の識別情報に対応付けて第１操作機器４０１の識別情報を取得したため、操作グループ生成部９２５は、第１照明機器１０１を第１操作グループＯＧ１に所属させる。その後、操作グループ生成部９２５は、第１操作グループＯＧ１の識別情報と、第１照明機器１０１の識別情報と、を対応づけて、図１４の操作グループテーブル９９２に保存する。
【００６８】
第１照明機器１０１と同様に、操作グループ生成部９２５は、第１行の照明機器Ｒ１から第３行の照明機器Ｒ３を第１操作グループＯＧ１に所属させる。このため、第１操作グループＯＧ１には、第１照明機器１０１から第５照明機器１０３が属する。
【００６９】
次に、識別情報取得部９１５が第６照明機器１０５の識別情報に対応付けて第２操作機器４０２の識別情報を取得したため、操作グループ生成部９２５は、第６照明機器１０５を第２操作グループＯＧ２に所属させる。その後、操作グループ生成部９２５は、第２操作グループＯＧ２の識別情報と、第６照明機器１０５の識別情報と、を対応づけて、図１４の操作グループテーブル９９２に保存する。
【００７０】
同様に、操作グループ生成部９２５は、第４行の照明機器Ｒ４及び第５行の照明機器Ｒ５を第２操作グループＯＧ２に所属させる。
【００７１】
次に、図１３の境界機器特定部９３０は、図５のステップＳ０３と同じ処理を実行することで、第２照明機器１１１及び照明機器１１２から１２０を、第１照明制御領域と第２照明制御領域との境界を照らす制御境界機器として特定する。
【００７２】
その後、境界機器特定部９３０は、第１操作グループＯＧ１に所属させた第１行の照明機器Ｒ１から第３行の照明機器Ｒ３の設置位置を含む、図１５に示すような方形の第１操作グループ領域ＨＩＪＫを生成する。同様に、境界機器特定部９３０は、第２操作グループＯＧ２に所属させた第４行の照明機器Ｒ４及び第５行の照明機器Ｒ５の設置位置を含む方形の第２操作グループ領域ＧＨＫＬを生成する。
【００７３】
次に、境界機器特定部９３０は、第１操作グループ領域ＨＩＪＫの下側に位置する床上の領域を、第１行の照明機器Ｒ１から第３行の照明機器Ｒ３で照らされる第１照明操作領域とする。同様に、境界機器特定部９３０は、第２操作グループ領域ＧＨＫＬの下側に位置する床上の領域を、第４行の照明機器Ｒ４及び第５行の照明機器Ｒ５で照らされる第２照明操作領域とする。このようにして、境界機器特定部９３０は、第１操作グループ領域ＨＩＪＫと第２操作グループ領域ＧＨＫＬとの境界ＨＫの下側に位置する床上の線分を、第１照明操作領域と第２照明操作領域との境界とする。
【００７４】
その後、境界機器特定部９３０は、情報記憶部９９０から境界パラメタを読み出す。その後、境界機器特定部９３０は、境界ＨＫから、境界パラメタの値よりも近い距離にある第５照明機器１０３を、第１照明操作領域と第２照明操作領域との境界を照らす操作境界機器として特定する。同様に、境界機器特定部９３０は、第３行の照明機器Ｒ３及び第４行の照明機器Ｒ４も操作境界機器として特定する（ステップＳ２５）。
【００７５】
その後、境界グループ生成部９４０は、図５のステップＳ０４と同じ処理を実行することで、制御境界機器である第２照明機器１１１及び照明機器１１２から１２０を所属させる制御境界グループＣＢを生成する（ステップＳ２６）。
【００７６】
次に、境界グループ生成部９４０は、ステップＳ２５で操作境界機器として特定された第３行の照明機器Ｒ３及び第４行の照明機器Ｒ４を所属させる操作境界グループＯＢを生成する（ステップＳ２７）。次に、境界グループ生成部９４０は、操作境界グループＯＢの識別情報と、第３行の照明機器Ｒ３及び第４行の照明機器Ｒ４の識別情報と、を対応づけて、図８の境界グループテーブル９９９に保存した後に、グループ生成処理の実行を終了する。
【００７７】
図１２のグループ生成処理の実行が終了すると、図４に示した照明制御装置９００のＣＰＵ９０１は、図１６の照明制御処理を実行する。照明制御処理の実行により、ＣＰＵ９０１は、図１１の第１操作機器４０１に行われた第１操作を表わす操作情報、及び、第２操作機器４０２に行われた第１操作を表わす操作情報、を取得する、図１３の操作情報取得部９５５として機能する。
【００７８】
照明制御処理の実行を開始すると、図１３の照度情報取得部９５０は、図１０のステップＳ１１と同じ処理を実行することで、照度情報を取得する（ステップＳ３１）。
【００７９】
次に、操作情報取得部９５５は、図４の情報通信回路９０５から操作情報を取得する（ステップＳ３２）。
【００８０】
設定決定部９６０は、操作情報に基づいて照明機器１０１から１３０の点灯状態を特定する（ステップＳ３３）。以下、第１操作機器４０１に行われた第１操作が閉操作であり、第２操作機器４０２に行われた第２操作が開操作である場合を例に挙げて説明する。
【００８１】
設定決定部９６０は、操作情報で表される第１操作が閉操作であるため、第１行の照明機器Ｒ１から第３行の照明機器Ｒ３が点灯いることを特定する。これに対して、設定決定部９６０は、操作情報で表される第２操作が開操作であるため、第４行の照明機器Ｒ４及び第５行の照明機器Ｒ５が消灯していることを特定する。
【００８２】
次に、設定決定部９６０は、点灯している第１照明機器１０１が属するグループを特定するために、図７の制御グループテーブル９９１において、第１制御グループＣＧ１の識別情報が第１照明機器１０１の識別情報に対応付けられていることを特定する。また、設定決定部９６０は、図８の境界グループテーブル９９９に、制御境界グループＣＢの識別情報及び操作境界グループＯＢの識別情報が第１照明機器１０１の識別情報に対応付けられていないことを特定する。このため、第１照明機器１０１は、第１制御グループＣＧ１に属するが、制御境界グループＣＢ及び操作境界グループＯＢに属さないことを、設定決定部９６０は特定する。同様に、設定決定部９６０は、図１７に示すように、第４照明機器１０２、並びに、照明機器１０６及び１０７は、第１制御グループＣＧ１に属するが、制御境界グループＣＢ及び操作境界グループＯＢに属さないと判別する。
【００８３】
その後、設定決定部９６０は、第１制御グループＣＧ１に属するが、制御境界グループＣＢ及び操作境界グループＯＢに属さない第１照明機器１０１、第４照明機器１０２、並びに、照明機器１０６及び１０７に設定する第１設定輝度を、図１０のステップＳ１２と同じ処理を実行することで決定する。
【００８４】
さらに、同様に、設定決定部９６０は、第３照明機器１２６、並びに、照明機器１２１、１２２、及び１２７は、第２制御グループＣＧ２に属するが、制御境界グループＣＢ及び操作境界グループＯＢに属さないと判別する。次に、設定決定部９６０は、図１０のステップＳ１２と同じ処理を実行することで、第３照明機器１２６、並びに、照明機器１２１、１２２、及び１２７に設定する第２設定輝度を決定する。
【００８５】
さらに、設定決定部９６０は、図７の制御グループテーブル９９１において、第２照明機器１１１の識別情報が第１制御グループＣＧ１の識別情報に対応付けられていることを特定する。また、設定決定部９６０は、図８の境界グループテーブル９９９において、第２照明機器１１１の識別情報が制御境界グループＣＢの識別情報に対応付けられているが、操作境界グループＯＢの識別情報に対応付けられていないことを特定する。このため、第２照明機器１１１は、第１制御グループＣＧ１及び制御境界グループＣＢに属するが、操作境界グループＯＢに属さないことを設定決定部９６０は特定する。さらに、設定決定部９６０は、照明機器１１２、１１６、及び１１７は、第１制御グループＣＧ１及び制御境界グループＣＢに属するが、操作境界グループＯＢに属さないことを特定する。その後、設定決定部９６０は、第２照明機器１１１、並びに、照明機器１１２、１１６、及び１１７に設定する境界設定輝度を、図１０のステップＳ１２と同じ処理を実行することで、第１設定輝度と第２設定輝度との平均値に決定する。
【００８６】
さらに、設定決定部９６０は、図７の制御グループテーブル９９１において、第５照明機器１０３の識別情報が第１制御グループＣＧ１の識別情報に対応付けられていることを特定する。また、設定決定部９６０は、図８の境界グループテーブル９９９において、第５照明機器１０３の識別情報が操作境界グループＯＢの識別情報に対応付けられているが、制御境界グループＣＢの識別情報に対応付けられていないことを特定する。このため、第５照明機器１０３は、第１制御グループＣＧ１及び操作境界グループＯＢに属するが、制御境界グループＣＢに属さないと判別する。同様に、設定決定部９６０は、照明機器１０８は、第１制御グループＣＧ１及び操作境界グループＯＢに属するが、制御境界グループＣＢに属さないと判別する。
【００８７】
次に、設定決定部９６０は、第５照明機器１０３及び照明機器１０８に設定する輝度を、第１設定輝度の２分の１の値に決定する。第５照明機器１０３及び照明機器１０８が属する第１操作グループＯＧ１に隣接する第２操作グループＯＧ２が消灯しているためである。
【００８８】
また、設定決定部９６０は、照明機器１２３及び１２８は、第２制御グループＣＧ２及び操作境界グループＯＢに属するが、制御境界グループＣＢに属さないことを特定する。次に、設定決定部９６０は、照明機器１２３及び１２８に設定する輝度を、第２設定輝度の２分の１の値に決定する。
【００８９】
さらに、設定決定部９６０は、照明機器１１３及び１１８は、制御境界グループＣＢ及び操作境界グループＯＢに属すると判別し、照明機器１１３及び１１８に設定する輝度を、境界設定輝度の２分の１の値に決定する（ステップＳ３４）。
【００９０】
次に、機器制御部９７０は、第１宛先を、第１制御グループＣＧ１に属するが、制御境界グループＣＢ及び操作境界グループＯＢに属さない第１照明機器１０１、第４照明機器１０２、並びに、照明機器１０６及び１０７とする。その後、機器制御部９７０は、輝度を第１設定輝度に変更させる制御命令を、第１宛先を指定して、図４の情報通信回路９０５へ出力する。情報通信回路９０５から制御命令を受信した第１照明機器１０１、第４照明機器１０２、並びに、照明機器１０６及び１０７は、輝度を第１設定輝度に変更して点灯を続ける。
【００９１】
同様に、機器制御部９７０は、第２宛先を、第２制御グループＣＧ２に属するが、制御境界グループＣＢ及び操作境界グループＯＢに属さない第３照明機器１２６、並びに、照明機器１２１、１２２、及び１２７とする。その後、機器制御部９７０は、輝度を第２設定輝度に変更させる制御命令を、第２宛先を指定して情報通信回路９０５へ出力する。
【００９２】
さらに、機器制御部９７０は、第３宛先を、制御境界グループＣＢに属するが、操作境界グループＯＢに属さない第２照明機器１１１、並びに、照明機器１１２、１１６、及び１１７とする。その後、機器制御部９７０は、輝度を境界設定輝度に変更させる制御命令を、第３宛先を指定して情報通信回路９０５へ出力する。
【００９３】
またさらに、機器制御部９７０は、第４宛先を、第１制御グループＣＧ１及び操作境界グループＯＢに属するが、制御境界グループＣＢに属さない第５照明機器１０３及び照明機器１０８とする。その後、機器制御部９７０は、輝度を第１設定輝度の半分の値に変更させる制御命令を、第４宛先を指定して情報通信回路９０５へ出力する。
【００９４】
同様に、機器制御部９７０は、第５宛先を、第２制御グループＣＧ２及び操作境界グループＯＢに属するが、制御境界グループＣＢに属さない照明機器１２３及び照明機器１２８とする。その後、機器制御部９７０は、輝度を第２設定輝度の半分の値に変更させる制御命令を、第５宛先を指定して情報通信回路９０５へ出力する。
【００９５】
またさらに、機器制御部９７０は、第６宛先を、制御境界グループＣＢ及び操作境界グループＯＢに属する第５照明機器１１３及び照明機器１１８とする。その後、機器制御部９７０は、輝度を境界設定輝度の半分の値に変更させる制御命令を、第６宛先を指定して情報通信回路９０５へ出力する。
【００９６】
このようにして、機器制御部９７０は、第１宛先から第６宛先として指定した照明機器１０１から１１５の輝度を、設定決定部９６０で決定された輝度にグループ単位で制御する（ステップＳ３５）。
【００９７】
これらの構成によれば、照明制御装置９００は、設計情報に基づいて第１操作グループＯＧ１と第２操作グループＯＧ２とに、照明機器１０１から１３０を所属させる。また、照明制御装置９００は、第１操作グループＯＧ１に所属させた第１行の照明機器Ｒ１から第３行の照明機器Ｒ３で照らされる第１照明操作領域と、第２操作グループＯＧ２に所属させた第４行の照明機器Ｒ４及び第５行の照明機器Ｒ５で照らされる第２照明操作領域と、の境界を照らす境界機器として第３行の照明機器Ｒ３及び第４行の照明機器Ｒ４を特定する。このため、照明制御システム１が備える照明機器の数が増加しても、照明制御装置９００は、第１操作グループＯＧ１と第２操作グループＯＧ２とを生成したり、第１操作グループＯＧ１と第２操作グループＯＧ２とに照明機器１０１から１３０を所属させたり、第３行の照明機器Ｒ３及び第４行の照明機器Ｒ４を境界機器として特定したりするために生じるユーザの負担の増加を抑制できる。
【００９８】
＜実施の形態３＞
実施の形態３に係る照明制御システム１は、図１に示した実施の形態１に係る照明制御システム１と同じ構成を有する。実施の形態３に係る照明制御システム１は、第１照度センサ２０１が測定した第１照度と、第２照度センサ２０２が測定した第２照度と、の相違に基づいて、境界機器を特定するために用いられる境界パラメタを更新する。
【００９９】
実施の形態３に係る照明制御装置９００が備える、図４のＣＰＵ９０１は、図５のグループ生成処理を実行して境界機器を特定する前に、第１照度と第２照度との差に基づいて境界パラメタを更新する、図１８の境界パラメタ更新処理を、予め定められた周期で実行する。
【０１００】
境界パラメタ変更処理の実行を開始すると、図６の照度情報取得部９５０は、第１照度センサ２０１及び第２照度センサ２０２から情報通信回路９０５が受信した照度情報を取得する（ステップＳ４１）。
【０１０１】
次に、境界機器特定部９３０は、照度情報取得部９５０が取得した照度情報で表される第１照度と第２照度との差である照度差を算出する（ステップＳ４２）。その後、境界機器特定部９３０は、照度差が大きい程、情報記憶部９９０に保存された境界パラメタの値を大きい値に更新した後に（ステップＳ４３）、境界パラメタ更新処理の実行を終了する。
【０１０２】
境界パラメタ更新処理の実行を終了すると、照明制御装置９００は、図５のグループ生成処理を実行することで、第１制御グループＣＧ１と第２制御グループＣＧ２との境界ＡＢから、更新された境界パラメタの値よりも近い距離にある照明機器を境界機器として特定し、制御境界グループＣＢに所属させる。
【０１０３】
これらの構成によれば、照明制御装置９００は、第１照度と第２照度との差が大きい程、境界パラメタの値を大きく更新する。このため、照明制御装置９００は、第１制御グループＣＧ１と第２制御グループＣＧ２との境界ＡＢからより遠くに設置された照明機器を境界機器として特定する。照明制御装置９００は、境界機器を、第１制御グループＣＧ１のみに属する照明機器に設定される第１設定輝度と、第２制御グループＣＧ２のみに属する照明機器に設定される第２設定輝度と、の平均輝度で点灯するように制御する。よって、第１照度と第２照度との相違がより大きくなっても、第１制御グループＣＧ１の照明機器１０１から１１５で照らされる第１制御照明領域と、第２制御グループＣＧ２の照明機器１１６から１３０で照らされる第２制御照明領域と、の境界付近で生じる照度変化を緩やかにすることができる。
【０１０４】
図６及び１３を参照して説明した位置情報取得部９１０は位置情報取得手段として機能し、制御グループ生成部９２０は制御グループ生成手段として機能し、境界機器特定部９３０は境界機器特定手段として機能する。また、境界グループ生成部９４０は境界グループ生成手段として機能し、機器制御部９７０は機器制御手段として機能する。さらに、図１３を参照して説明した識別情報取得部９１５は識別情報取得手段として機能し、操作情報取得９５５は操作情報取得手段として機能し、操作グループ生成部９２５は操作グループ生成手段として機能する。
【０１０５】
本発明の実施の形態１、実施の形態１の変形例１から６、実施の形態２、及び、実施の形態３に係る照明制御システム１は、複数の機能を有する照明制御装置９００を備えると説明したが、これに限定される訳ではない。照明制御システム１は、照明制御装置９００が有する当該複数の機能の内、一部の機能のみを有する第１照明制御装置と、当該複数の機能の内、当該一部の機能以外の機能を有する第２照明制御装置と、を含む複数の照明制御装置を備えても良い。
【０１０６】
本発明の実施の形態１、実施の形態１の変形例１から６、実施の形態２、及び、実施の形態３は、互いに組み合わせることができる。
【０１０７】
本発明の実施の形態１、実施の形態１の変形例１から６、実施の形態２、及び、実施の形態３のいずれかに係る機能を実現するための構成を予め備えた照明制御装置９００として提供できることはもとより、プログラムの適用により、既存の照明制御装置を本発明の実施の形態１、実施の形態１の変形例１から６、実施の形態２、及び、実施の形態３のいずれかに係る照明制御装置９００として機能させることもできる。すなわち、上記本発明の実施の形態１、実施の形態１の変形例１から６、実施の形態２、及び、実施の形態３のいずれかで例示した照明制御装置９００による各機能構成を実現させるためのプログラムを、既存の照明制御装置を制御するコンピューター（ＣＰＵなど）が実行できるように適用することで、本発明の実施の形態１、実施の形態１の変形例１から６、実施の形態２、及び、実施の形態３のいずれかに係る照明制御装置９００として機能させることができる。
【０１０８】
このようなプログラムの配布方法は任意であり、例えば、メモリカード、ＣＤ−ＲＯＭ、又はＤＶＤ−ＲＯＭなどの記録媒体に格納して配布できる他、インタネットなどの通信媒体を介して配布することもできる。尚、照明制御方法は、照明制御システム１を用いて実施できる。
【０１０９】
また、本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１１０】
本発明は、照明機器を制御する照明制御システムに適する。
【符号の説明】
【０１１１】
１  照明制御システム、１０１  第１照明機器、１０２  第４照明機器、１０３  第５照明機器、１０４，１０６から１１０，１１２から１２５，１２７から１３０  照明機器、１０５  第６照明機器、１１１  第２照明機器、１２６  第３照明機器、２０１  第１照度センサ、２０２  第２照度センサ、３０１，３０２  発信器、４０１  第１操作機器、４０２  第２操作機器、４１１，４１２  通信回路、８００  ファイルサーバ、９００  照明制御装置、９０１  ＣＰＵ、９０２  ＲＯＭ、９０３  フラッシュメモリ、９０４  ＲＡＭ、９０５  情報通信回路、９０６  ビデオカード、９０７  ＬＣＤ、９０８  タッチパネル、９１０  位置情報取得部、９１５  識別情報取得部、９２０  制御グループ生成部、９２５  操作グループ生成部、９３０  境界機器特定部、９４０  境界グループ生成部、９５０  照度情報取得部、９５５  操作情報取得部、９６０  設定決定部、９７０  機器制御部、９９０  情報記憶部、９９１  制御グループテーブル、９９２  操作グループテーブル、９９９  境界グループテーブル、１０１１  電波受信回路、１０１２  位置検出回路、１０１３  情報通信回路、１０１４  駆動回路、１０１５  ＬＥＤ、２０１１  電波受信回路、２０１２  位置検出回路、２０１３  受光素子、２０１４  照度測定回路、２０１５  情報通信回路、ＡＢＦＤ  第２制御グループ領域、ＡＢ，ＨＫ  境界、ＣＢ  制御境界グループ、ＣＥＢＡ  第１制御グループ領域、ＣＧ１  第１制御グループ、ＣＧ２  第２制御グループ、ＣＬ  通信線、ＧＨＫＬ  第２操作グループ領域、ＨＩＪＫ  第１操作グループ領域、ＯＢ  操作境界グループ、ＯＧ１  第１操作グループ、ＯＧ２  第２操作グループ、ＰＬ  電源ライン、Ｒ１  第１行の照明機器、Ｒ２  第２行の照明機器、Ｒ３  第３行の照明機器、Ｒ４  第４行の照明機器、Ｒ５  第５行の照明機器
【図１】
2019061832.tif 000003
【図２】
2019061832.tif 000004
【図３】
2019061832.tif 000005
【図４】
2019061832.tif 000006
【図５】
2019061832.tif 000007
【図６】
2019061832.tif 000008
【図７】
2019061832.tif 000009
【図８】
2019061832.tif 000010
【図９】
2019061832.tif 000011
【図１０】
2019061832.tif 000012
【図１１】
2019061832.tif 000013
【図１２】
2019061832.tif 000014
【図１３】
2019061832.tif 000015
【図１４】
2019061832.tif 000016
【図１５】
2019061832.tif 000017
【図１６】
2019061832.tif 000018
【図１７】
2019061832.tif 000019
【図１８】
2019061832.tif 000020